(57)【要約】【課題】記録媒体に記録された動画像データの数が予め定められた数を超えた場合でもインデックス画面の表示数が単純に増加してしまうのを防止できるようにする。【解決手段】記録媒体に記録された動画像データの数が予め定められた数を超えた場合には、前記動画像データの代表画像を表示装置に表示する形態を変えるようにすることにより、撮影チャプター数が所定数を超えてしまっても、インデックス画面の総ページ数が単純に増加してしまうことを防止して、検索性を向上させて使い勝手のよいインデックス画面を表示できるようにする。【選択図】図１
2008011419.tif 000002
【特許請求の範囲】
【請求項１】
記録媒体に記録された動画像データの数が予め定められた数を超えた場合には、前記動画像データの代表画像を表示装置に表示する形態を変えるようにしたことを特徴とする記録装置。
【請求項２】
動画像データを記録媒体に記録する記録手段と、
前記記録媒体に記録された動画像データを第１の管理単位に従って管理する管理手段と、
前記記録媒体に記録された動画像データの代表画像を生成して表示装置に表示する代表画像生成手段と、
前記記録媒体における前記第１の管理単位の数を検出する検出手段と、
前記検出手段により検出された前記第１の管理単位の数が予め決められた数以下の場合には前記第１の管理単位毎の代表画像を前記表示装置に表示し、前記第１の管理単位の数が前記予め決められた数よりも多い場合に、予め定められたルールに従い前記代表画像を前記表示装置に表示するように前記代表画像生成手段を制御する制御手段とを備えることを特徴とする記録装置。
【請求項３】
前記代表画像生成手段は、１ページあたりＮ個（Ｎは１以上の整数）の前記代表画像を有するＰページ（Ｐは１以上の整数）からなる代表画像データを生成し、
前記制御手段は、前記検出手段により検出された前記第１の管理単位の数が、Ｎ×Ｐよりも多い場合に、前記予め定められたルールに従い前記代表画像を前記表示装置に表示するように前記代表画像生成手段を制御することを特徴とする請求項２に記載の記録装置。
【請求項４】
前記予め定められたルールとは、撮影日ごとに代表画像を選択する規則であることを特徴とする請求項２に記載の記録装置。
【請求項５】
前記予め定められたルールとは、前記第１の管理単位間の撮影日時が所定以上離れている管理単位から代表画像を選択する規則であることを特徴とする請求項２に記載の記録装置。
【請求項６】
前記予め定められたルールとは、１ページあたりに表示する代表画像数を増やす規則であることを特徴とする請求項２に記載の記録装置。
【請求項７】
前記管理手段は、前記第１の管理単位が１つ以上からなる第２の管理単位にて前記記録媒体に記録された画像データを更に管理し、前記予め定められたルールとは前記第２の管理単位毎の代表画像を表示する規則であることを特徴とする請求項２〜６の何れか１項に記載の記録装置。
【請求項８】
前記代表画像が複数の前記第１の管理単位を含む第２の管理単位の代表画像であることを知らしめるビットマップデータを保持している保持手段と、
前記保持手段に保持されているビットマップをインデックス画面に重畳するビットマップ重畳手段とをさらに有し、
前記第１の管理単位を複数含む第２の管理単位の代表画像に対して、前記ビットマップを重畳することを特徴とする請求項７に記載の記録装置。
【請求項９】
前記表示装置に表示された複数の代表画像から任意の代表画像を選択する選択手段と、
前記選択手段により選択された代表画像に対応する動画像データを前記記録媒体から再生する再生手段とを備え、
前記代表画像生成手段は更に、前記表示装置に表示された複数の代表画像のうち、前記複数の第１の管理単位を含む第２の管理単位の代表画像が選択された場合に、前記選択された代表画像に対応した前記第２の管理単位に含まれる第１の管理単位毎の代表画像を表示し、前記表示手段は、前記第２の管理単位に含まれる第１の管理単位毎の代表画像を更に表示装置に表示することを特徴とする請求項８に記載の記録装置。
【請求項１０】
前記代表画像生成手段は、前記代表画像に対応する動画像データの記録日時情報を表示装置に表示し、
前記複数の第１の管理単位を含む第２の管理単位の代表画像が選択された場合には、前記第２の管理単位に含まれる先頭の第１の管理単位と最後の第１の管理単位の動画像データの記録日時を表示装置に表示することを特徴とする請求項９に記載の記録装置。
【請求項１１】
前記記録媒体とは光ディスクであり、前記代表画像を示す代表画像データを記録する処理を少なくとも含むファイナライズ処理手段を有することを特徴とする請求項１〜１０の何れか１項に記載の記録装置。
【請求項１２】
記録媒体に記録された動画像データの数が予め定められた数を超えた場合には、前記動画像データの代表画像を表示装置に表示する形態を変えるようにしたことを特徴とする記録装置の制御方法。
【請求項１３】
動画像データを記録媒体に記録する記録工程と、
前記記録媒体に記録された動画像データを第１の管理単位に従って管理する管理工程と、
前記記録媒体に記録された動画像データの代表画像を生成して表示装置に表示する代表画像生成工程と、
前記記録媒体における前記第１の管理単位の数を検出する検出工程と、
前記検出工程において検出された前記第１の管理単位の数が予め決められた数以下の場合には前記第１の管理単位毎の代表画像を前記表示装置に表示し、前記第１の管理単位の数が前記予め決められた数よりも多い場合に、予め定められたルールに従い前記代表画像を前記表示装置に表示するように前記代表画像生成工程を制御する制御工程とを備えることを特徴とする記録装置の制御方法。
【請求項１４】
記録媒体に記録された動画像データの数が予め定められた数を超えた場合には、前記動画像データの代表画像を表示装置に表示する形態を変えるようにした記録装置の制御方法をコンピュータに実行させることを特徴とするプログラム。
【請求項１５】
動画像データを記録媒体に記録する記録工程と、
前記記録媒体に記録された動画像データを第１の管理単位に従って管理する管理工程と、
前記記録媒体に記録された動画像データの代表画像を生成して表示装置に表示する代表画像生成工程と、
前記記録媒体における前記第１の管理単位の数を検出する検出工程と、
前記検出工程において検出された前記第１の管理単位の数が予め決められた数以下の場合には前記第１の管理単位毎の代表画像を前記表示装置に表示し、前記第１の管理単位の数が前記予め決められた数よりも多い場合に、予め定められたルールに従い前記代表画像を前記表示装置に表示するように前記代表画像生成工程を制御する制御工程とを備える記録装置の制御方法をコンピュータに実行させることを特徴とするプログラム。
【請求項１６】
請求項１４または１５に記載のプログラムを記録したことを特徴とするコンピュータ読み取り可能な記録媒体。
【発明の詳細な説明】
【技術分野】
【０００１】
本発明は記録装置及び記録装置の制御方法に関し、特に、再生時にシーンを選択するためのサムネイルを表示するために用いて好適な技術に関する。
【背景技術】
【０００２】
従来、ＤＶＤなどの光ディスクに対して画像を記録再生するディスクビデオカメラが知られている。この種のディスクビデオカメラでは、ディスクに記録した画像を再生する場合、各シーンの代表画像（サムネイル画像）の一覧画面を生成する。そして、ユーザが所望のシーンの代表画像を選択することができるように構成されることが一般的である（例えば、特許文献１参照）。
【０００３】
ＤＶＤビデオ規格では、ディスク１枚当たり最大９９タイトルの画像を記録することが可能であり、各タイトルには最大９９チャプターの画像を記録することが可能である。
【０００４】
【特許文献１】特開２００５ー０７９８２３号公報
【発明の開示】
【発明が解決しようとする課題】
【０００５】
前述のように、ディスク１枚につき、最大９８０１（９９×９９）シーン（チャプター）の画像を記録した場合、再生時に表示するサムネイル一覧画面は、最大９８０１枚のサムネイルが表示されることになる。
【０００６】
ビデオカメラ本体に備えられた液晶パネルなどの表示デバイスのサイズは数インチ程度であるため、一画面で表示可能なサムネイル画像の画面数はせいぜい数枚程度である。そのため、記録シーンが多い場合には、全てのサムネイルを一画面で表示することができず、複数のページにわたって表示することになり、検索性が非常に悪くなるという問題があった。
【０００７】
また、DVD−Video規格のメニューを作成するとなると、その分の容量を空けておく必要もあった。
本発明は前述の問題点にかんがみ、記録媒体に記録された動画像データの数が予め定められた数を超えた場合でもインデックス画面の表示数が単純に増加してしまうのを防止できるようにすることを目的としている。
【課題を解決するための手段】
【０００８】
本発明の記録装置は、記録媒体に記録された動画像データの数が予め定められた数を超えた場合には、前記動画像データの代表画像を表示装置に表示する形態を変えるようにしたことを特徴とする。
また、本発明の記録装置の他の特徴とするところは、動画像データを記録媒体に記録する記録手段と、前記記録媒体に記録された動画像データを第１の管理単位に従って管理する管理手段と、前記記録媒体に記録された動画像データの代表画像を生成して表示装置に表示する代表画像生成手段と、前記記録媒体における前記第１の管理単位の数を検出する検出手段と、前記検出手段により検出された前記第１の管理単位の数が予め決められた数以下の場合には前記第１の管理単位毎の代表画像を前記表示装置に表示し、前記第１の管理単位の数が前記予め決められた数よりも多い場合に、予め定められたルールに従い前記代表画像を前記表示装置に表示するように前記代表画像生成手段を制御する制御手段とを備えることを特徴とする。
【０００９】
本発明の記録装置の制御方法は、記録媒体に記録された動画像データの数が予め定められた数を超えた場合には、前記動画像データの代表画像を表示装置に表示する形態を変えるようにしたことを特徴とする。
また、本発明の記録装置の制御方法の他の特徴とするところは、動画像データを記録媒体に記録する記録工程と、前記記録媒体に記録された動画像データを第１の管理単位に従って管理する管理工程と、前記記録媒体に記録された動画像データの代表画像を生成して表示装置に表示する代表画像生成工程と、前記記録媒体における前記第１の管理単位の数を検出する検出工程と、前記検出工程において検出された前記第１の管理単位の数が予め決められた数以下の場合には前記第１の管理単位毎の代表画像を前記表示装置に表示し、前記第１の管理単位の数が前記予め決められた数よりも多い場合に、予め定められたルールに従い前記代表画像を前記表示装置に表示するように前記代表画像生成工程を制御する制御工程とを備えることを特徴とする。
【００１０】
本発明のプログラムは、記録媒体に記録された動画像データの数が予め定められた数を超えた場合には、前記動画像データの代表画像を表示装置に表示する形態を変えるようにした記録装置の制御方法をコンピュータに実行させることを特徴とする。
また、本発明のプログラムの他の特徴とするところは、動画像データを記録媒体に記録する記録工程と、前記記録媒体に記録された動画像データを第１の管理単位に従って管理する管理工程と、前記記録媒体に記録された動画像データの代表画像を生成して表示装置に表示する代表画像生成工程と、前記記録媒体における前記第１の管理単位の数を検出する検出工程と、前記検出工程において検出された前記第１の管理単位の数が予め決められた数以下の場合には前記第１の管理単位毎の代表画像を前記表示装置に表示し、前記第１の管理単位の数が前記予め決められた数よりも多い場合に、予め定められたルールに従い前記代表画像を前記表示装置に表示するように前記代表画像生成工程を制御する制御工程とを備える記録装置の制御方法をコンピュータに実行させることを特徴とする。
【発明の効果】
【００１１】
本発明によれば、各シーンをならべたインデックス画面において、記録数が多いときにもページ数を自動的に削減することが可能となり、検索性が損なわれることのないインデックス画面を表示することができる。
また、本発明の他の特徴によれば、複数チャプターに対する代表画像にはそのことを知らしめるビットマップを重畳したり、情報表示をしたりするようにしたので、視認性を高めることができる。
また、本発明のその他の特徴によれば、複数チャプターに対する代表画像が選択されたときにはさらに該当するチャプターに対する代表画像を並べたインデックス画面を表示し、さらに使い勝手を良くすることができる。
また、本発明のその他の特徴によれば、DVD−Video規格のメニューを作成する場合においても、所定ページ数以内に収めることができる。
【発明を実施するための最良の形態】
【００１２】
（第１の実施形態）
「ビデオカメラの説明」
図１は、本実施形態のビデオカメラの内部構成を説明する図である。
図１において、１３０はレンズユニットであり、集光のための固定レンズ群、変倍レンズ群、絞り、変倍レンズ群の動きで移動した結像位置を補正する機能と焦点調節を行う機能とを兼ね備えた補正レンズ群により構成される。レンズユニット１３０によって、最終的に後述のＣＣＤ１３１の結像面上に被写体像が結像される。１３１はＣＣＤ（charge coupled device）であり、光を電荷に変換し撮像信号を生成する。
【００１３】
１３２はカメラ信号処理部であり、アナログの撮像信号に所定の処理を施してデジタル化を行い、デジタル画像データを出力する。また、フェードや縮小等の特殊機能も備えられている。これらを総じてカメラユニットとする。なお、カメラ信号処理部１３２を図面では「Ａ／Ｄ」と記載している。
【００１４】
また、図１には図示していないが、変倍レンズ群、絞りなどのアクチュエータ、手ぶれ補正のためのセンサー（例えば角速度センサー）、同補正手段（シフトレンズなど）が備えられている。１３５はカメラ制御マイクロコンピュータであり、後述のマイクロコンピュータ１１０の制御に従いカメラユニットを制御するものである。
【００１５】
１３３はマイクユニットである。マイクユニット１３３は、撮影時に音声を集めるために配設されている装置であり、所定の増幅、帯域制限等の機能を有している。１３４はA/D処理部であり、マイクユニット１３３の出力を受けデジタル音声データを出力する。
【００１６】
１１０はマイクロコンピュータであり、システム全体を制御する。本実施形態においては図示していないが、マイクロコンピュータ１１０は、プログラムを格納する不揮発性メモリ（ROM）を有している。また、作業領域となる揮発性メモリ（RAM）、他のハードウエアとデータの受け渡しや制御用レジスタをアクセスするための外部バス、時間を計測するためのタイマ等を少なくとも有している。
【００１７】
１０３はバスである。バス１０３には各ブロックが接続されており、マイクロコンピュータ１１０の制御に従ってデータの受け渡しを行う伝送路である。１０２はエンコーダ部であり、マイクロコンピュータ１１０の制御に従いデジタル画像データ、及びデジタル音声データを受けて、MPEG（Moving Picture Experts Group）２方式で圧縮する。さらに、時系列順に多重化して圧縮ビデオデータを生成する。また、エンコーダ部１０２には、例えばデータ位置とフレーム位置の変換に必要となる情報などをマイクロコンピュータ１１０に通知する機能を備えている。
【００１８】
１０４は制御回路であり、エンコーダ部１０２と、後述のメモリ１０６、光ディスク１２０、及びデコーダ部１０８とのインターフェースを有し、マイクロコンピュータ１１０の制御によってデータの受け渡しを制御する。１０６はメモリであり、各ブロックが作業用に使用可能となっている。
【００１９】
１２０は光ディスクである。制御回路１０４は、バス１０３に接続されるマイクロコンピュータ１１０やメモリ１０６とのインターフェースと、光ディスク１２０とのインターフェースを有している。そして、マイクロコンピュータ１１０等から光ディスク１２０の制御レジスタにアクセスするための変換を行う。
【００２０】
なお、図１に示した光ディスク１２０は、メディアそのもののみではなく、ヘッド、モータを含むメカデッキ、それらを制御する制御回路、及び制御回路１０４と接続可能なインターフェース（例えばATAPI I/F）等を有し、メディアにデータ等を読み書き可能なユニットのことである。
【００２１】
制御回路１０４には、メモリ１０６の先頭アドレスとデータ量、及び光ディスク１２０の書き込む先頭セクタを指定することにより、読み出しまたは書き込みデータを自動転送する、所謂ダイレクトメモリーアクセス（DMA）機能が備わっている。
【００２２】
１０８はデコーダ部であり、マイクロコンピュータ１１０に指定されたメモリ１０６のアドレスから圧縮ビデオデータや圧縮静止画データを逐次読み出す。例えばITU-R BT.656（CCIR656）等のデジタル映像信号、及びデジタル音声信号に変換して出力する。圧縮静止画データの再生時には、必要があれば縮小処理を行うことができるよう工夫されている。
【００２３】
１０７は音声出力部、１０９は映像出力部である。映像出力部１０９、音声出力部１０７はデコーダ部１０８によって変換されたデジタル映像信号、及びデジタル音声信号をそれぞれアナログ信号に変換し外部に出力するためのブロックであり、テレビジョン受像機等に接続される。１１６はスピーカーユニットであり、前述したデジタル音声信号を受けて音声を再生するためのものである。
【００２４】
１１３はオンスクリーンディスプレイ（OSD）部であり、各種設定メニューやタイトル、時間などの情報をビデオ出力に重畳させるものである。またOSD  部１１３には、デコーダ部１０８から入力されるデジタル映像信号をキャプチャーし、縮小処理を施し、任意の位置に重畳させる機能も兼ね備えている。
【００２５】
１１２は操作スイッチ群、１６２はトリガースイッチ、１６３はモードダイアルである。いずれもユーザ操作によって入力された信号をマイクロコンピュータ１１０が判定し動作させるものである。モードダイアル１６３は回転式スイッチであり、動画撮影を行うカメラモード、主電源を遮断するオフモード、さらに撮影像を再生する再生モードを選択するものである。１５０はＥＶＦ、１５１は液晶パネル、１５２はパネル開閉検出スイッチである。
【００２６】
トリガースイッチ１６２はカメラモードでは動画像記録開始要求、または停止要求としてマイクロコンピュータ１１０は認識する。１１５はリアルタイムクロックであり、カレンダー及び時刻情報をマイクロコンピュータ１１０に伝達するためのものである。また、初期値とカウント開始命令はユーザが操作スイッチ群１１２によって入力し、マイクロコンピュータ１１０を介して与えられる。録画コンテンツに付与されるタイムスタンプ情報等に利用する。
【００２７】
マイクロコンピュータ１１０は、所定のファイルシステムを扱うソフトウェアを搭載しており、このファイルシステムに従って光ディスク１２０へ対するデータの読み書きが行われる。
【００２８】
「録画動作」
次に、動画像の録画動作の流れを説明する。まず電源を投入されるとマイクロコンピュータ１１０は光ディスク１２０から前述のファイルシステムに則って録画可能（空き）領域の検索を行う。
【００２９】
この時、録画可能容量を算出し、録画可能容量と録画モードから録画可能時間を算出する。以降、録画中は録画可能容量の減少を監視し、定期的に録画可能時間を更新していく。マイクロコンピュータ１１０は常にスイッチの状態を検出し、ユーザの操作を監視している。以下、ユーザの操作は断りのない限り操作スイッチ群１１２等のユーザーインターフェースを介してマイクロコンピュータ１１０に操作を伝えるものとする。
【００３０】
次に、ユーザが録画開始要求を発生させると、カメラ画像及び音声の記録を開始すべく、マイクロコンピュータ１１０が各ブロックを制御する。
まず、エンコーダ部１０２にはMPEG２エンコード処理を開始させ、圧縮ビデオデータを、制御回路１０４を介してメモリ１０６の所定アドレスを先頭に蓄積するよう制御する。所定量のデータを蓄積する毎にエンコーダ部１０２はマイクロコンピュータ１１０に割り込み等の手段により通知する。
【００３１】
マイクロコンピュータ１１０はこの通知を受け、次に蓄積すべき先頭アドレスを制御回路１０４に通知する。さらに、マイクロコンピュータ１１０はメモリ１０６に蓄積された圧縮ビデオデータを光ディスク１２０に書き込むように光ディスク１２０及び制御回路１０４にコマンドを発行する。
【００３２】
この時、光ディスク１２０に書き込む領域はファイルシステムに則って検索された記録可能（空き）領域である。このエンコード処理から光ディスク１２０への書き込みまでの一連の処理が、録画停止要求が発生するまで繰り返される。本実施形態では、記録開始の指示から記録停止の指示までの間に記録された一連の動画、音声データを一つのチャプターとして管理する。また、１以上のチャプターをタイトルとして管理する。
【００３３】
本実施形態では、例えば、タイトル内のチャプター数が９９となったときや、ディスクをイジェクトした場合に、新たにタイトルを生成する。図２はチャプター、タイトルの様子を示す図である。
【００３４】
また、このような管理を行うための管理情報が生成され、あわせてディスクにビデオ管理ファイルとして記録する。また各チャプターの撮影開始日時が少なくともディスクに記録される。この撮影開始日時はビデオ管理ファイル、または圧縮ビデオデータ内にメタデータとして記録する。
【００３５】
「再生動作」
次に、ビデオカメラの再生動作について説明する。
ユーザによる操作スイッチ群１１２の操作によって再生させたいシーン（チャプター）を選択する。シーンごとの代表画像（サムネイル）を表示し（以降インデックス画面とする）、ポインタを所望のコンテンツまで移動させ、決定することにより再生を開始するＵＩが一般的である。
【００３６】
マイクロコンピュータ１１０は、このように決定したシーンのデジタルビデオデータを光ディスク１２０から読み出しを開始する。具体的には、録画時とは逆に光ディスク１２０から読み出してメモリ１０６に蓄積するように制御回路１０４にコマンドを発行する。この時、録画時と同様に光ディスク１２０の読み出し先頭セクタ、メモリ１０６の書き込み先頭アドレス、データ量はマイクロコンピュータ１１０が指定する。
【００３７】
次に、マイクロコンピュータ１１０はデコーダ部１０８に対し、メモリ１０６に蓄積されたデジタルビデオデータをデコード処理するようにコマンドを発行する。コンテンツが終了するか停止、または一時停止等のユーザ操作が加えられるまで、デコーダ部１０８にデコード処理するデジタルビデオデータが途切れることのないよう、一連の処理が繰り返し実行される。
【００３８】
「インデックス画面について」
図５は、インデックス画面例である。図５において、５０１はインデックス画面であり、１ページあたり最大６枚の代表画像（サムネイル）を表示するものとする。なお、１ページ当たりのサムネイル画像の数はこれに限ることなく、Ｎ画面（Ｎは１以上の整数）であればよい。５０２、５０３、５０４、５０５、５０６、５０７はそれぞれ代表画像であり、各シーンに対応している。
【００３９】
５１１はカーソルであり、ユーザが代表画像を選択するための表示である。５１２はシーン情報であり、カーソル５１１が指示している代表画像に対応するシーンの情報表示である。本実施形態では記録開始日時を表示するようにしている。図５の場合には、代表画像５０４に対応するシーンの情報であり、２００５年１２月１５日１５時２０分に撮影を開始したシーンであることを示している。図示していないが、この他シーンの長さ（時間）も合わせて表示するようにしてもよい。
【００４０】
図４は、撮影したシーンのイメージを説明する図である。例えば、１２月１５日に１２／１５＿１、１２／１５＿２、１２／１５＿３の３シーンを撮影したことを表している。図４のように、記録されたディスクの先頭のインデックス画面を表示したものが図５である。図５は、図４の先頭から６シーン分に対応した代表画像を表示している。
【００４１】
「本実施形態の特徴」
図５は、全てのシーンに対する代表画像を表示する場合のインデックス画面であり、図４のＧ４０１のシーンに対応する代表画像を表示している。
一方、図６は、撮影日時ごとに先頭のシーンの代表画像を表示したインデックス画面であり、図４のＧ４０２のシーンの代表画像を表示している。
【００４２】
図６において、６１２は複数シーンアイコンであり、このアイコン６１２が表示されている代表画像は複数のシーンから成る場合に表示する。図４の例では、１２月１９日以外の撮影日では複数のシーンを撮影しているため、G４０２を代表画像とすると、図６のように代表画像５０５以外皆に表示されることとなる。
【００４３】
６１３はシーン情報であり、カーソル５１１があたっている代表画像に対応するシーンの情報表示である。本実施形態では、記録開始日時を表示するものであり、図６の場合は代表画像５０２に対応するシーンの情報である。図４と異なるのは、複数シーンの場合、その最初と最後のシーンの記録開始日時を表示することである。２００５年１２月１５日の最初の撮影が１０時１７分、最後の撮影が１５時２０分である（図８参照）。
【００４４】
また、６１３＿ａは別な表示例であり、最後の括弧内にシーン数を表示している。このように、いくつのシーンから成っているのかを表示してもよい。なお、複数シーンアイコン６１２が表示されていない１シーンの代表画像に対しては、図４と同様な表示となる。
【００４５】
本実施形態では、図７のフローチャートに従った処理を行い、インデックス画面の表示処理を切り替えるものである。
ステップＳ７０１で処理が開始されると、次のステップＳ７０２においては総チャプター数を１ページあたりの表示代表画像数で割った値、つまり総ページ数が所定ページ数を超えるか否かを判定する。この判定の結果、正の場合にはステップＳ７０３に遷移し、否の場合にはステップＳ７０４へそれぞれ遷移する。
【００４６】
本実施形態では、１ページあたり６つの代表画像を表示するビデオカメラであるので、例えば、「所定ページ数Ｐ＝１０」とした場合、６０チャプターを超えたときステップＳ７０３へ遷移することとなる。なお、ページ数Ｐは１０以外でもよく、１以上の整数であればよい。
【００４７】
ステップＳ７０３において行われる処理は間引きページ表示処理であり、図６のように所定ルールに従って選定されたチャプターに対する代表画像のみ並べ、表示していく処理である。
【００４８】
また、ステップＳ７０４において行われる処理は全ページ表示処理であり、全てのチャプターに対する代表画像を表示する処理である。
【００４９】
以上説明してきたように本実施形態によれば、撮影チャプター数が所定数を超えてしまっても、インデックス画面の総ページ数が単純に増加してしまうことを防止することが可能となる。これにより、検索性を向上させることができ、使い勝手のよいインデックス画面を表示することができる。
【００５０】
また、「撮影日数＞（所定ページ数×６）」となるようなときに、さらに間引きを行うようにしてもよい。
また、本実施形態では間引きする仕方として撮影日ごとにまとめるよう説明してきたが、撮影間隔が所定時間離れたことを条件にして分けるようにしてもよい。
【００５１】
＜第２の実施形態＞
前述した第１の実施形態において、一回の撮影で記録された圧縮ビデオビデオデータはチャプターとして管理されることを説明した。本実施形態では、さらに一つ以上のチャプターを有するタイトルという管理単位を有するものとし、以下図２、３を用いて説明する。
【００５２】
１つのタイトルの中には、所定数までチャプターを持つことが可能である。現在記録しているタイトルに少なくともこの所定数のチャプターが作成されると次のタイトルを作成し、そのタイトル内にチャプターを作成していく。この様子について図２を用いて説明する。
【００５３】
図２では、説明を簡略化するために前述の所定数のチャプターを「４」とするが、これに限るものではなく、例えば「９９」でもよい。図２において、２０１及び２０２はそれぞれタイトルである。２０１＿１、２０１＿２、２０１＿３、２０１＿４はそれぞれチャプターである。最初の撮影で記録されるのはチャプター２０１＿１である。１タイトルにチャプターが４つとなるチャプター２０１＿４が記録されたところでタイトル２０１への追加をやめ、次の記録時にタイトル２０２が作成され、チャプターが記録されるといった流れを説明している図である。
【００５４】
図３は、少なくともタイトルやチャプターを管理するための動画管理情報の構造を説明するための図である。なお、ここでは本実施形態に必要となる事項のみ説明するので、実際には他のさまざまな情報も記録されている。
【００５５】
図３において、３０１は動画管理情報をイメージ化したものであり、例えば一つのファイルである。また、３０２及び３０３はタイトル情報であり、それぞれタイトルに対応して作成される。３０４、３０５、３０６、３０７、３０８はそれぞれチャプター情報であり、やはりそれぞれチャプターに対応して作成されるものである。なお、図３は先に説明した図２と対応している。
【００５６】
本実施形態では、図９のフローチャートに従った処理を行い、インデックス画面の表示処理を切り替えるものである。
ステップＳ９０１で処理が開始されると、次のステップＳ９０２においては総チャプター数を１ページあたりの表示代表画像数で割った値、つまり総ページ数が所定ページ数を超えるか否かを判定する。この判定の結果、正の場合にはステップＳ９０３に遷移し、否の場合にはステップＳ９０４へそれぞれ遷移する。第１の実施形態と同様に１ページあたり６つの代表画像を表示するシステムであるので、例えば「所定ページ数＝１０」とした場合、６０チャプターを超えたときステップＳ９０３へ遷移することとなる。
【００５７】
ステップＳ９０３において行われる処理はタイトル単位ページ表示処理であり、タイトルに対し一つの代表画像を表示する処理である。
また、ステップＳ９０４において行われる処理はチャプター単位表示処理であり、全てのチャプターに対する代表画像を表示する処理である。
【００５８】
本実施形態によれば、チャプター数が所定数を超えてしまっても、チャプター単位からタイトル単位の代表画像表示に切り替えることによりインデックス画面の総ページ数が単純に増加してしまうことを防止することが可能となる。結果検索性の向上となり、使い勝手のよいインデックス画面を表示することができる。
【００５９】
＜第３の実施形態＞
図１０は、９サムネイルインデックス画面の一例を示す図である。これまで一画面で６つのサムネイルを表示するシステムとして説明してきた。本実施形態では、６つのサムネイルを表示するインデックス画面（以下、６サムネイルインデックス画面と称す）と９サムネイルインデックス画面を表示できるシステムとする。
【００６０】
本実施形態では、図１１のフローチャートに従った処理を行い、インデックス画面の表示処理を切り替えるようにしている。
ステップＳ１１０１で処理が開始されると、次のステップＳ１１０２においては総チャプター数を６で割った値、つまり６サムネイルインデックス画面で表示する場合総ページ数が所定ページ数を超えるか否かを判定する。この判定の結果、正の場合にはステップＳ１１０３に遷移し、否の場合にはステップＳ１１０４へそれぞれ遷移する。
【００６１】
ステップＳ１１０３において行われる処理は９サムネイルページ表示処理であり、図１１に示したように、１ページ当たり９つの代表画像を表示する処理である。
また、ステップＳ１１０４において行われる処理は６サムネイルページ表示処理であり、１ページ当たり６つの代表画像を表示する処理である。
【００６２】
このような処理を実行することにより、６サムネイルインデックス画面では所定ページ数を超えてしまうチャプター数となったときに、９サムネイルインデックス画面に切り替えるようにする。このようにすることにより、インデックス画面の総ページ数が単純に増加してしまうことを防止することが可能となる。
【００６３】
また、さらに第２の所定ページ数を設定し、１２サムネイルインデックス画面に切り替えるようにしてもよい。このような切り替えを行うようにすることにより、結果検索性を向上させることができ、使い勝手のよいインデックス画面を表示することができる。
【００６４】
<第４の実施形態>
DVD-Videoプレイヤーで再生互換のある形式にて記録するビデオカメラであって、所謂ファイナライズ処理を実行する場合に作成するメニュー画面に応用してもよい。
図１２は、光ディスクのユーザーデータを説明する図である。
図１２において、「Ｌｅａｄ−ｉｎ」と「Ｌｅａｄ−ｏｕｔ」で挟まれた領域がユーザーデータ領域であり、ファイルシステム情報やビデオデータなどが書き込まれる。
【００６５】
図１２の１２０２はVMG（Video Manager）領域である。ここには、ＤＶＤ−Ｖｉｄｅｏの全体的な管理情報や、前述のメニューのための情報が格納される。このメニュー画面は第１の実施形態で説明したインデックス画面を構成するためのデータであり、ファイナライズ処理時に生成してディスクに記録する。ファイナライズ処理を実行するまでは固定容量をリザーブ領域として空けておく。
【００６６】
この固定容量とは、例えば１００ページ分のメニュー画面を記録するのに十分な容量である。１２０３は「VTS（Video Title Set）０１」であり、最初に記録されるタイトルである。VTSは「VTS０１」〜「VTS９９」までとることができ、最大９９のタイトルが記録可能である。
【００６７】
また、それぞれのタイトルには９９までのチャプターをもつことができる。よって、一回撮影するたびにチャプターを作成するので、最大「９８０１シーン」まで記録することが可能であり、チャプターを選択するタイプのメニュー（インデックス画面）を生成すると、１ページ当たり６サムネイルの場合１６３４ページとなる。前述のVMGの予約領域をこの数値に合わせて確保しておけば問題は無いが、実使用でほとんどないような状況であるとすると無駄な領域ができてしまう。
【００６８】
本実施形態では、図１３のフローチャートに従った処理を行い、メニュー画面の生成処理を切り替えるものである。
ステップＳ１３０１で処理が開始されると、次のステップＳ１３０２においては総チャプター数を１ページあたりの表示代表画像数である６で割った値、つまり総ページ数がリザーブ領域のリミットである１００ページを超えるか否かを判定する。この判定の結果、正の場合にはステップＳ１３０３に遷移し、否の場合にはステップＳ１３０４へそれぞれ遷移する。
【００６９】
ステップＳ１３０３において行われる処理はタイトル単位メニュー画面生成処理であり、タイトルごとに代表画像を生成しメニュー画面を生成する処理である。
【００７０】
また、ステップＳ１３０４において行われる処理はチャプター単位メニュー画面生成処理であり、全てのチャプターに対する代表画像を生成し、メニュー画面を生成する処理である。なお、ここでは生成方法をチャプター単位とタイトル単位で切り替えるように説明したが、タイトル単位ではなく、第１の実施形態のように撮影日時ごとにしてもよい。
【００７１】
このように、VMGのためのリザーブ領域に記録可能な範囲でメニュー画面の生成方法を切り替えることで、記録効率と、検索性を確保したメニュー画面の生成を両立させることができる。
【００７２】
<第５の実施形態>
前述の第１の実施形態では、ページ数を抑えるため撮影日ごとに代表画像をまとめる方法について説明した。それに対して、本実施形態では、さらに複数チャプターからなる代表画像を選択したときに、対応するチャプターの代表画像を表示するビデオカメラについて説明する。
【００７３】
本実施形態では、代表画像を選択操作されたときに図１５のフローチャートに従った処理を行い、次に実行する処理を切り替えるものである。
ステップＳ１５０２は選択された代表画像が複数チャプターに対するものであるか否かを判定し、正の場合にはステップＳ１５０３へ、否の場合にはステップＳ１５０４へそれぞれ遷移する。
【００７４】
ステップＳ１５０１で処理が開始されると、次のステップＳ１５０３においてはチャプター単位インデックス表示であり、選択された代表画像の撮影日に撮影されたチャプターごとの代表画像からなるインデックス画面を表示する。例えば、図１４の５０１＿Ａにて代表画像５１１を選択したとき、本ステップによって５０１＿Ｂが表示される。
【００７５】
ステップＳ１５０４は再生開始処理であり、選択されたチャプターの再生を実行する。図１４の５０１＿Ａの代表画像５０５や、５０１＿Ｂの各代表画像を選択された場合である。
【００７６】
本実施形態によれば、必要に応じてインデックス画面の階層化を自動的に実行することができ、さらに検索性を向上させることができる。
【００７７】
（本発明に係る他の実施形態）
前述した本発明の実施形態における記録装置を構成する各手段、並びに記録装置の制御方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００７８】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００７９】
なお、本発明は、前述した実施形態の機能を実現するソフトウェアのプログラム（実施形態では図７、図９、図１１、図１３及び図１５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００８０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８１】
その場合、プログラムの機能を有していれば、オブジェクトコード、インタプリタにより実行されるプログラム、ＯＳに供給するスクリプトデータ等の形態であってもよい。
【００８２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００８３】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００８４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００８６】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００８７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００８８】
【図１】本発明の実施形態を示し、ビデオカメラの構成例を説明するブロック図である。
【図２】タイトルとチャプターとについて説明する図である。
【図３】動画管理情報の一例を説明する図である。
【図４】撮影日ごとのチャプターをイメージ化した図である。
【図５】インデックス画面の表示例を示す図である。
【図６】第１の実施形態にて特徴となるインデックス画面の表示例を示す図である。
【図７】第１の実施形態の特徴を説明するフローチャートである。
【図８】複数シーンの場合、その最初と最後のシーンの記録開始日時を表示する例を説明する図である。
【図９】第２の実施形態の特徴を説明するフローチャートである。
【図１０】９つの代表画像を並べたインデックス画面の表示例を示す図である。
【図１１】第３の実施形態の特徴を説明するフローチャートである。
【図１２】ディスクに記録されるユーザーデータ領域について説明する図である。
【図１３】第４の実施形態の特徴を説明するフローチャートである。
【図１４】インデックス画面の階層化を説明する図である。
【図１５】第５の実施形態の特徴を説明するフローチャートである。
【符号の説明】
【００８９】
１０２  エンコーダ部１０３  バス
１０４  制御回路
１０６  メモリ１０７  音声出力部
１０８  デコーダ部１０９  映像出力部
１１０  マイクロコンピュータ
１１２  操作スイッチ群
１１３  OSD（オンスクリーンディスプレイ部）
１１５  リアルタイムクロック
１２０  光ディスク
１３０  レンズユニット
１３１  CCD（charge coupled device）
１３２  カメラ信号処理部
１３３  マイクユニット
１３４  A/D処理部
１３５  カメラ制御マイクロコンピュータ
１５０  EVF
１５１  液晶パネル
１５２  パネル開閉検出スイッチ
１６２  トリガースイッチ
１６３  モードダイアル
【図１】
2008011419.tif 000003
【図２】
2008011419.tif 000004
【図３】
2008011419.tif 000005
【図４】
2008011419.tif 000006
【図５】
2008011419.tif 000007
【図６】
2008011419.tif 000008
【図７】
2008011419.tif 000009
【図８】
2008011419.tif 000010
【図９】
2008011419.tif 000011
【図１０】
2008011419.tif 000012
【図１１】
2008011419.tif 000013
【図１２】
2008011419.tif 000014
【図１３】
2008011419.tif 000015
【図１４】
2008011419.tif 000016
【図１５】
2008011419.tif 000017